(57)【要約】【課題】模倣対象に相応の形態変化を可能として当該形態変化による興趣を遊戯者に供与できる玩具を提供する。【解決手段】第１形態（生物が伸張した形態）と第２形態（生物が丸まった形態）とに変化可能な玩具であって、主体部１０と、主体部１０に連結された副体部２０、３０および４０とを備える。副体部２０、３０および４０は、第１形態において主体部１０の支持部を成し、第２形態において外郭の一部を成すように構成されている。【選択図】図２
2020151466.tif 000002
【特許請求の範囲】
【請求項１】
第１形態と第２形態とに変化可能な玩具であって、
第１主体要素と、当該第１主体要素に連結された第２主体要素とを少なくとも含む主体部と、
前記主体部に連結された副体部とを備え、
前記副体部は、前記第１形態において前記主体部の支持部を成し、前記第２形態において前記第１主体要素と前記第２主体要素との間にて、内部に空間が形成される外郭の一部を成すと共に、当該第１主体要素及び第２主体要素の外側の面と連なる曲面を形成するように構成されている、
玩具。
【請求項２】
前記連結は、前記第１主体要素に対して前記第２主体要素が変位可能な連結である、
請求項１に記載の玩具。
【請求項３】
前記第１形態は、前記第１主体要素に対して前記第２主体要素が広がった形態であり、
前記第２形態は、前記第１主体要素に対して前記第２主体要素が狭まった形態である、
請求項１または２に記載の玩具。
【請求項４】
前記第１主体要素の外側の面は滑らかな曲面から成り、
前記第２主体要素の外側の面は凸凹がある曲面から成る、
請求項１〜３のいずれか１項に記載の玩具。
【請求項５】
前記第１主体要素と前記第２主体要素の一方は、前記第１形態において前記第１主体要素と前記第２主体要素の他方の外側の面の一部を覆うように構成されている、
請求項１〜４のいずれか１項に記載の玩具。
【請求項６】
前記第１主体要素と前記第２主体要素は、前記第２形態において各々の外側の面が連なるように構成されている、
請求項１〜５のいずれか１項に記載の玩具。
【請求項７】
前記第１主体要素と前記第２主体要素の少なくとも一方には、前記第２形態における相互干渉を回避するための干渉回避部が形成されている、
請求項１〜６のいずれか１項に記載の玩具。
【請求項８】
前記主体部は、前記第１主体要素に連結された第３主体要素をさらに含む、
請求項１〜７のいずれか１項に記載の玩具。
【請求項９】
前記第１形態は、前記第１主体要素に対して前記第３主体要素が広がった形態であり、
前記第２形態は、前記第１主体要素に対して前記第３主体要素が狭まった形態である、
請求項８に記載の玩具。
【請求項１０】
前記第３主体要素の外側の面は一部を除き滑らかな曲面から成る、
請求項８または９に記載の玩具。
【請求項１１】
前記第３主体要素の外側の面の一部は、前記第１形態において前記第１主体要素によって覆われるように構成されている、
請求項１０に記載の玩具。
【請求項１２】
前記副体部は、前記主体部の内側の面に設けられている、
請求項１〜１１のいずれか１項に記載の玩具。
【請求項１３】
前記副体部は、前記主体部の内側の面において前記主体部の中心に対して対称に対を成して設けられている、
請求項１〜１２のいずれか１項に記載の玩具。
【請求項１４】
前記副体部は、複数設けられ、対ごとに異なる形状で構成されている、
請求項１３に記載の玩具。
【請求項１５】
前記副体部は、前記主体部に連結された第１副体要素と、当該第１副体要素に連結された第２副体要素と、当該第２副体要素に連結された第３副体要素とを少なくとも含む、
請求項１〜１４のいずれか１項に記載の玩具。
【請求項１６】
前記各連結は、前記主体部に対して前記第１副体要素が変位可能な連結であり、前記第１副体要素に対して前記第２副体要素が変位可能な連結であり、前記第２副体要素に対して前記第３副体要素が変位可能な連結である、
請求項１５に記載の玩具。
【請求項１７】
前記第１形態は、前記第２副体要素に対して前記第３副体要素が広がった形態であり、
前記第２形態は、前記第２副体要素に対して前記第３副体要素が狭まった形態である、
請求項１５または１６に記載の玩具。
【請求項１８】
前記第３副体要素は、前記第１形態において前記支持部を成し得るように構成されている、
請求項１５〜１７のいずれか１項に記載の玩具。
【請求項１９】
前記第３副体要素は、前記第２形態において前記外郭の一部を成し得るように構成されている、
請求項１５〜１８のいずれか１項に記載の玩具。
【請求項２０】
前記第３副体要素は、前記第２形態において前記主体部に近づき、かつ、互いが近接した状態を成し得るように構成されている、
請求項１５〜１９のいずれか１項に記載の玩具。
【請求項２１】
前記第３副体要素の外側の面は曲面から成る、
請求項１５〜２０のいずれか１項に記載の玩具。
【請求項２２】
前記第３副体要素の外側の面は、前記第２形態において前記第１主体要素の外側の面および前記第２主体要素の外側の面と連なるように構成されている、
請求項１５〜２１のいずれか１項に記載の玩具。
【請求項２３】
前記第３副体要素の形状は、前記第２副体要素の形状と異なり、
前記第３副体要素の長さは、前記第２副体要素の長さよりも大きい、
請求項１５〜２２のいずれか１項に記載の玩具。
【請求項２４】
前記第２副体要素は、前記第３副体要素よりも可撓性に富む、
請求項１５〜２３のいずれか１項に記載の玩具。
【請求項２５】
前記玩具は、生物を模したものであり、
前記第１形態は、前記生物が伸張した形態であり、
前記第２形態は、前記生物が丸まった形態である、
請求項１〜２４のいずれか１項に記載の玩具。
【請求項２６】
前記玩具は、第２形態において物品搬出装置からの搬出を可能としている、
請求項１〜２５のいずれか１項に記載の玩具。
【発明の詳細な説明】
【技術分野】
【０００１】
本発明は、形態変化を可能とした玩具に関する。
【背景技術】
【０００２】
後記特許文献１には、縮退状態と展開状態とを取り得るように構成された殼体と、付勢力によって殼体を縮退状態とする縮退手段と、付勢力に抗して殼体を展開状態とする展開手段と、発条動力によって回転可能な車輪を有する走行手段と、を備えた動作玩具が開示されている。この動作玩具は、走行手段による展開状態での走行と、走行過程における縮退状態への変化とを可能としている。
【０００３】
しかしながら、前掲の動作玩具は、走行手段による展開状態での走行と、走行過程における縮退状態への変化とを主眼としたものであるため、殼体を例えば生物を模したものとしても、展開状態と縮退状態が当該生物と掛け離れた形態に成りやすく、それ故に形態変化に基づく興趣を供与することが難しい。
【先行技術文献】
【特許文献】
【０００４】
【特許文献１】特開２００９−２４７６５７号公報
【発明の概要】
【発明が解決しようとする課題】
【０００５】
本発明が解決しようとする課題は、模倣対象に相応の形態変化を可能として当該形態変化による興趣を遊戯者に供与できる玩具を提供することにある。
【課題を解決するための手段】
【０００６】
本発明に係る玩具は、第１形態と第２形態とに変化可能な玩具であって、第１主体要素と、当該第１主体要素に連結された第２主体要素とを少なくとも含む主体部と、前記主体部に連結された副体部とを備え、前記副体部は、前記第１形態において前記主体部の支持部を成し、前記第２形態において前記第１主体要素と前記第２主体要素との間にて、内部に空間が形成される外郭の一部を成すと共に、当該第１主体要素及び第２主体要素の外側の面と連なる曲面を形成するように構成されている。
【発明の効果】
【０００７】
本発明に係る玩具によれば、模倣対象に相応の形態変化を可能として当該形態変化による興趣を遊戯者に供与することができる。
【図面の簡単な説明】
【０００８】
【図１】図１（Ａ）は本発明の適用例を示す玩具の第１形態の上面図、図１（Ｂ）は図１（Ａ）の側面図である。
【図２】図２（Ａ）は前記玩具の第２形態の前面図、図２（Ｂ）は図２（Ａ）の側面図である。
【図３】図３（Ａ）は図１および図２に示した第１主体要素と第２主体要素との第１形態における連結状態を示す部分拡大断面図、図３（Ｂ）は第１主体要素と第２主体要素との第２形態における連結状態を示す部分拡大断面図、図３（Ｃ）は第１主体要素と第２主体要素とを分離した状態を示す部分拡大断面図である。
【図４】図４（Ａ）は図１および図２に示した第１主体要素と第３主体要素との第１形態における連結状態を示す部分拡大断面図、図４（Ｂ）は第１主体要素と第３主体要素との第２形態における連結状態を示す部分拡大断面図、図４（Ｃ）は第１主体要素と第３主体要素とを分離した状態を示す部分拡大断面図である。
【図５】図５（Ａ）は図１および図２に示した第１主体要素の内側の面を示す図、図５（Ｂ）は図５（Ａ）に示した第１の副体部の側面図、図５（Ｃ）は図５（Ｂ）に示した第１の副体部の分解図である。
【図６】図６（Ａ）は図１および図２に示した第２主体要素の内側の面を示す図、図６（Ｂ）は図６（Ａ）に示した第２の副体部の側面図（第３の副体部と兼用）、図６（Ｃ）は図６（Ｂ）に示した第２の副体部の分解図（第３の副体部と兼用）である。
【図７】図７（Ａ）は図１および図２に示した第１の副体部が第４副体要素を有する場合の第１主体要素の内側の面を示す図、図７（Ｂ）は第２の副体部および第３の副体部が第４副体要素を有する場合の第２主体要素の内側の面を示す図である。
【発明を実施するための形態】
【０００９】
以下、図１〜図６を用いて、本発明を適用した玩具の一例について説明する。図示例の玩具（符号省略）は生物、具体的には昆虫に属するコガネムシを模したものであり、歩行等のために伸張した第１形態（図１を参照）と、防御等のために球状に丸まった第２形態（図２を参照）とに変化可能である。この玩具は、主として、主体部１０と、主体部１０に連結された副体部（第１の副体部２０、第２の副体部３０および第３の副体部４０）とを備え、副体部は第１形態において主体部１０の支持部を成し第２形態において外郭（丸まった形態の外表面を意味する）の一部を成すように構成されている。
【００１０】
《主体部の説明》
図１〜図４に示したように、主体部１０は、第１主体要素１１と、第１主体要素１１に連結された第２主体要素１２と、第１主体要素１１に連結された第３主体要素１３とを含む。図示例の玩具は昆虫（コガネムシ）を模したものであるため、第１主体要素１１は胸部に相当し、第２主体要素１２は腹部に相当し、第３主体要素１３は頭部に相当する。
【００１１】
主体部１０の第１主体要素１１の外側の面１１ｏｓ（図１および図２を参照）は滑らかな曲面から成り、内側の面１１ｉｓ（図５を参照）は概ね平らな面から成る。また、主体部１０の第２主体要素１２の外側の面１２ｏｓ（図１および図２を参照）は凸凹がある曲面から成り、内側の面１２ｉｓ（図６を参照）は概ね平らな面から成る。さらに、主体部１０の第３主体要素１３の外側の面１３ｏｓ（図１および図２を参照）は眼を表す凸部分を除き滑らかな曲面から成る。
【００１２】
すなわち、第１形態は、主体部１０の第１主体要素１１に対して第２主体要素１２が広がり、かつ、第１主体要素１１に対して第３主体要素１３が広がった形態である（図１を参照）。一方、第２形態は、主体部１０の第１主体要素１１に対して第２主体要素１２が狭まり、かつ、第１主体要素１１に対して第３主体要素１３が狭まった形態である（図２を参照）。ちなみに、第２形態において、第２主体要素１２の外側の面１２ｏｓは外郭の約１／２を占め、第１主体要素１１および第３主体要素１３の外側の面１１ｏｓおよび１３ｏｓは外郭の約１／４を占め、外郭の残りの約１／４は副体部（第１の副体部２０、第２の副体部３０および第３の副体部４０）が占めている。つまり、第１主体要素１１、第３主体要素１３および副体部は、第２形態において一方部を形成し、第２主体要素１２は他方部を形成する。また、第２形態において一方部はその内部に子部品を収納可能な空間が形成される。
【００１３】
主体部１０の第１主体要素１１と第２主体要素１２との連結は、第１主体要素１１に対して第２主体要素１２が変位可能な連結であり、当該連結は、好ましくは回転可能な連結であり、より好ましくは着脱可能な連結である。また、主体部１０の第１主体要素１１と第３主体要素１３との連結は、第１主体要素１１に対して第３主体要素１３が変位可能な連結であり、当該連結は、好ましくは回転可能な連結であり、より好ましくは着脱可能な連結である。
【００１４】
主体部１０の第１主体要素１１と第２主体要素１２との連結構造例を図３を用いて説明すると、両者の連結には第１主体要素１１と第２主体要素１２と別の第１の連結要素５１が用いられている。第１の連結要素は５１は図中右端部に円筒状の基部５１ａを有し図中左端部に断面Ｃ状の連結部５１ｂを有しており、基部５１ａを、第２主体要素１２に設けられた窪み部１２ａ内の円柱状の軸部１２ｂに回転可能に支持されている。また、第１主体要素１１における第２主体要素１２の窪み部１２ａと向き合う箇所には窪み部１１ａが設けられ、窪み部１１ａ内に、第１の連結要素５１の連結部５１ｂが着脱可能に、かつ、回転可能に嵌め込むことができる円柱状の軸部１１ｂが設けられている。
【００１５】
図３（Ａ）は第１形態における主体部１０の第１主体要素１１と第２主体要素１２との連結状態を示すもので、同状態では、第２主体要素１２の図中左端が連結要素５１に接してその回転が制限され、かつ、第１主体要素１１の図中右端が第２主体要素１２の外側の面１２ｏｓに接してその回転が制限され、第１主体要素１１が第２主体要素１２の外側の面１２ｏｓの一部を覆っている。
【００１６】
図３（Ｂ）は第２形態における主体部１０の第１主体要素１１と第２主体要素１２との連結状態を示すもので、同状態では、第１主体要素１１の内側の面１１ｉｓと第２主体要素１２の内側の面１２ｉｓとが接し、第１主体要素１１の外側の面１１ｏｓと第２主体要素１２の外側の面１２ｏｓとが連なっている。ちなみに、図２（Ｂ）に示したように第１主体要素１１の内側の面１１ｉｓの外縁は凸曲面部分を有するため、同部分が第２形態において第２主体要素１２の内側の面１２ｉｓの外縁に干渉することを回避するための凹曲面状の干渉回避部１２ｉａが第２主体要素１２の内側の面１２ｉｓの外縁に設けられている。
【００１７】
図３（Ｃ）は主体部１０の第１主体要素１１と第２主体要素１２とが分離した状態を示すもので、同状態では、第１主体要素１１の軸部１１ｂが第１の連結要素５１の連結部５１ｂから抜き出されている。ちなみに、第１主体要素１１と第２主体要素１２とを図３（Ａ）および図３（Ｂ）に示した連結状態に戻すときには、第１主体要素１１の軸部１１ｂを第１の連結要素５１の連結部５１ｂに嵌め込めばよい。
【００１８】
主体部１０の第１主体要素１１と第３主体要素１３との連結構造例を図４を用いて説明すると、両者の連結には第１主体要素１１と第３主体要素１３とは別の第２の連結要素５２が用いられている。第２の連結要素５２は図中右端部に円筒状の基部５２ａを有し図中左端部に直方体状の連結部５２ｂを有しており、基部５２ａを、第１主体要素１１に設けられた窪み部１１ｃ内の円柱状の軸部１１ｄに回転可能に支持されている。また、第３主体要素１３における第１主体要素１１の窪み部１１ｃと向き合う箇所には、第２の連結要素５２の連結部５２ｂが着脱可能に嵌め込むことができる直方体状の嵌合部１３ａが設けられている。
【００１９】
図４（Ａ）は第１形態における主体部１０の第１主体要素１１と第３主体要素１３との連結状態を示すもので、同状態では、第３主体要素１３の外側の面１３ｏｓが第１主体要素１１の図中左端と接してその回転が制限され、第１主体要素１１が第３主体要素１３の外側の面１３ｏｓの一部を覆っている。
【００２０】
図４（Ｂ）は第２形態における主体部１０の第１主体要素１１と第３主体要素１３との連結状態を示すもので、同状態では、第１主体要素１１の内側の面１１ｉｓよりも第３主体要素１３の図中左端が下側に突出し、第１主体要素１１の外側の面１１ｏｓと第３主体要素１３の外側の面１３ｏｓとが連なっている。
【００２１】
図４（Ｃ）は主体部１０の第１主体要素１１と第３主体要素１３とが分離した状態を示すもので、同状態では、第３主体要素１３の嵌合部１３ａが第２の連結要素５２の連結部５２ｂから抜き出されている。ちなみに、第１主体要素１１と第３主体要素１３とを図４（Ａ）および図４（Ｂ）に示した連結状態に戻すときには、第３主体要素１３の嵌合部１３ａを第２の連結要素５２の連結部５２ｂに嵌め込めばよい。
【００２２】
なお、図３と図４に示した連結構造例は、同様または近似の動きが可能な他の連結構造で代用することが可能である。また、主体部１０の第１主体要素１１と第２主体要素１２とが分離可能で、第１主体要素１１と第３主体要素１２とが分離可能なものを示したが、分解および組み立てを重視しない場合には、主体部１０の第１主体要素１１と第２主体要素１２とを分離不可としてもよく、第１主体要素１１と第３主体要素１３とを分離不可としてもよい。
【００２３】
《副体部の説明》
図１、図２、図５および図６に示したように、副体部はその数が６であり、１対の第１の副体部２０と１対の第２の副体部３０と１対の第３の副体部４０とから構成されている。図示例の玩具は昆虫（コガネムシ）を模したものであるため、第１の副体部２０は前肢に相当し、第２の副体部３０は中肢に相当し、第３の副体部４０は後肢に相当する。
【００２４】
各副体部２０、３０および４０は、主体部１０（第１主体要素１１または第２主体要素１２）に連結された第１副体要素２１、３１および４１と、第１副体要素２１、３１、および４１に連結された第２副体要素２２、３２および４２と、第２副体要素２２、３２および４２に連結された第３副体要素２３、３３および４３とを少なくとも含む。図示例の玩具は昆虫（コガネムシ）を模したものであるため、第１副体要素２１、３１および４１は基節および転節に相当し、第２副体要素２２、３２および４２は腿節に相当し、第３副体要素２３、３３および４３は脛節に相当する。ちなみに、附節に相当する第４副体要素２４、３４および４４を追加する場合については図７を用いて後に説明する。
【００２５】
第１の副体部２０は、第１主体要素１１の内側の面１１ｉｓ（図５（Ａ）を参照）に設けられ、好ましくは第１主体要素１１の中心（図５（Ａ）の１点鎖線を参照）に対して対称に設けられている。また、第２の副体部３０と第３の副体部４０は、第２主体要素１２の内側の面１２ｉｓ（図６（Ａ）を参照）に設けられ、好ましくは第２主体要素１２の中心（図６（Ａ）の１点鎖線を参照）に対して対称に設けられている。
【００２６】
すなわち、第１形態は、各副体部２０、３０および４０の第２副体要素２２、３２および４２に対して第３副体要素２３、３３および４３が広がった形態であり（図１、図５および図６を参照）、同形態では、第３副体要素２３、３３および４３が玩具の支持部（玩具を第１形態で支える部分）を成し得る。一方、第２形態は、各副体部２０、３０および４０の第２副体要素２２、３２および４２に対して第３副体要素２３、３３および４３が狭まった形態であり（図２を参照）、同形態では、第３副体要素２３、３３および４３が外郭の一部を成し得る。詳しくは、第２形態では、第３副体要素２３、３３および４３が主体部１０（第２主体要素１２）に近づき、かつ、互いが近接した状態と成って、外郭の一部を成し得る。
【００２７】
各副体部２０、３０および４０の主体部１０（第１主体要素１１または第２主体要素１２）と第１副体要素２１、３１および４１との連結は、主体部１０に対して第１副体要素２１、３１および４１が変位可能な連結であり、当該連結は、好ましくは回転可能な連結であり、より好ましくは着脱可能な連結である。また、各副体部２０、３０および４０の第１副体要素２１、３１および４１と第２副体要素２２、３２および４２との連結は、第１副体要素２１、３１および４１に対して第２副体要素２２、３２および４２が変位可能な連結であり、当該連結は、好ましくは回転可能な連結であり、より好ましくは着脱可能な連結である。さらに、各副体部２０、３０および４０の第２副体要素２２、３２および４２と第３副体要素２３、３３および４３との連結は、第２副体要素２２、３２および４２に対して第３副体要素２３、３３および４３が変位可能な連結であり、当該連結は、好ましくは回転可能な連結であり、より好ましくは着脱可能な連結である。
【００２８】
第１の副体部２０の第１副体要素２１と第２副体要素２２と第３副体要素２３との連結構造例を図５（Ｂ）および図５（Ｃ）を用いて説明すると、第１副体要素２１は図中下端部に球状の基部２１ａを有し図中上端右部に円柱状の凸部２１ｂを有しており、基部２１ａを、主体部１０の第１主体要素１１の内側の面１１ｉｓに設けられた半球よりも大きな球欠状の凹部１１ｅに回転可能に、好ましくは着脱可能に嵌め込まれている。第２副体要素２２は図中左端部に円柱状の凹部２２ａを有し図中右端上部に円柱状の孔２２ｂ（凹部でもよい）を有しており、凹部２２ａを、第１副体要素２１の凸部２１ｂに回転可能に、好ましくは着脱可能に嵌め込まれている。第３副体要素２３は図中左端上部に円柱状の凸部２３ａを有しており、凸部２３ａを、第２副体要素２２の孔２２ｂに回転可能に、好ましくは着脱可能に嵌め込まれている。
【００２９】
第１の副体部２０の第２副体要素２２は形状は概ね柱状であり、第３副体要素２３の形状は両端よりも中央の広い形（図５（Ａ）を参照）であり、両者の形状は異なる。また、第３副体要素２３の長さは第２副体要素２２の長さよりも大きく、第３副体要素２３の外側の面２３ｏｓは曲面、好ましくは凸凹がある曲面から成る。さらに、第２副体要素２２は、第３副体要素２３よりも可撓性に富む材料、例えば、合成ゴムや軟質合成樹脂等から形成されている。
【００３０】
第２の副体部３０の第１副体要素３１と第２副体要素３２と第３副体要素３３との連結構造例と、第３の副体部４０の第１副体要素４１と第２副体要素４２と第３副体要素４３の連結構造例を図６（Ｂ）および図６（Ｃ）を用いて説明すると、第１副体要素３１および４１は図中下端部に球状の基部３１ａおよび４１ａを有し図中上端右部に円柱状の凸部３１ｂおよび４１ｂを有しており、基部３１ａおよび４１ａを、主体部１０の第２主体要素１２の内側の面１２ｉｓに設けられた半球よりも大きな球欠状の凹部１２ｃに回転可能に、好ましくは着脱可能に嵌め込まれている。第２副体要素３２および４２は図中左端部に円柱状の凹部３２ａおよび４２ａを有し図中右端上部に円柱状の孔３２ｂおよび４２ｂ（凹部でもよい）を有しており、凹部３２ａおよび４２ａを、第１副体要素３１および４１の凸部３１ｂおよび４１ｂに回転可能に、好ましくは着脱可能に嵌め込まれている。第３副体要素３３および４３は図中左端上部に円柱状の凸部３３ａおよび４３ａを有しており、凸部３３ａおよび４３ａを、第２副体要素３２および４２の孔３２ｂおよび４２ｂに回転可能に、好ましくは着脱可能に嵌め込まれている。
【００３１】
第２の副体部３０および第３の副体部４０の第２副体要素３２および４２は形状は概ね柱状であり、第３副体要素３３および４３の形状は一端よりも他端の幅が広く両側縁が湾曲した形（図６（Ａ）を参照）であり、両者の形状は異なる。また、第３副体要素３３および４３の長さは第２副体要素３２および４２の長さよりも大きく、第３副体要素３３および４３の外側の面３３ｏｓおよび４３ａは曲面、好ましくは凸凹がある曲面から成る。さらに、第２副体要素３２および４２は、第３副体要素３３および４３よりも可撓性に富む材料、例えば、合成ゴムや軟質合成樹脂等から形成されている。加えて、各副体部２０、３０および４０の第２副体要素２２、３２および４２の長さは２２＜４２＜３２の関係にあり、第３副体要素２３、３３および４３の長さは２３＜４３＜３３の関係にある。
【００３２】
すなわち、各副体部２０、３０および４０は、第３副体要素２３、３３および４３の位置および向きを任意に３次元変位できるように構成されているため、第１形態において第３副体要素２３、３３および４３を玩具の支持部（玩具を第１形態で支える部分）とすること、ならびに、第２形態において第３副体要素２３、３３および４３を外郭の一部とすることは容易である。また、第３副体要素２３、３３および４３の外側の面２３ｏｓ、３３ｏｓおよび４３ｏｓが曲面であるため、第２形態において、各々の外側の面２３ｏｓ、３３ｏｓおよび４３ｏｓを主体部１０の各主体要素１１、１２および１３の外側の面１１ｏｓ、１２ｏｓおよび１３ｏｓと連なるようにすることも容易である。
【００３３】
なお、図５（Ｂ）および図５（Ｃ）と図６（Ｂ）および図６（Ｃ）に示した連結構造例は、同様または近似の動きが可能な他の連結構造で代用することが可能である。また、各副体部２０、３０および４０の第１副体要素２１、３１および４１と第２副体要素２２、３２および４２とが分離可能で、第２副体要素２２、３２および４１と第３副体要素２３、３３および４３とが分離可能なものを示したが、分解および組み立てを重視しない場合には、各副体部２０、３０および４０の第１副体要素２１、３１および４１と第２副体要素２２、３２および４２とを分離不可としてもよく、第２副体要素２２、３２および４１と第３副体要素２３、３３および４３とを分離不可としてもよい。
【００３４】
《形態変化の説明》
前述の玩具を第１形態（図１を参照）から第２形態（図２を参照）に変化させるときには、主体部１０の第２主体要素１２を図３（Ａ）の状態から図３（Ｂ）の状態に変化させ、かつ、第３主体要素１３を図４（Ａ）の状態から図４（Ｂ）の状態に変化させて、各主体要素１１、１２および１３の外側の面１１ｏｓ、１２ｏｓおよび１３ｏｓによって外郭の約３／４を形成するとともに、各副体部２０、３０および４０の第２副体要素２２、３２および４２と第３副体要素２３、３３および４３を適宜回転させて第３副体要素２３、３３および４３の位置および向きを変化させ、各第３副体要素２３、３３および４３の外側の面２３ｏｓ、３３ｏｓおよび４３ｏｓによって外郭の残りの約１／４を形成すればよい。
【００３５】
各副体部２０、３０および４０の第３副体要素２３、３３および４３の位置および向きを任意に３次元変位でき、しかも、第３副体要素２３、３３および４３が外郭の一部（外郭の残りの約１／４）を形成するのに適した形状および長さを有しているため、外郭の一部を形成した後に第３副体要素２３、３３および４３の周囲に見栄えを低下させるような隙間を生じることはなく、各々の外側の面２３ｏｓ、３３ｏｓおよび４３ｏｓが主体部１０の各主体要素１１、１２および１３の外側の面１１ｏｓ、１２ｏｓおよび１３ｏｓと連なった態様が得ることができる。
【００３６】
なお、図２に示した第２形態のように、各副体部２０および３０の第３副体要素２３および３３の一部が主体部１０の第１主体要素１１の内側の面１１ｉｓの外縁によって覆われる場合には、先に、各副体部２０、３０および４０の第２副体要素２２、３２および４２と第３副体要素２３、３３および４３を適宜回転させて第３副体要素２３、３３および４３の位置および向きを変化させ、各第３副体要素２３、３３および４３の外側の面２３ｏｓ、３３ｏｓおよび４３ｏｓによって外郭の残りの約１／４を形成してから、主体部１０の第２主体要素１２を図３（Ａ）の状態から図３（Ｂ）の状態に変化させ、かつ、第３主体要素１３を図４（Ａ）の状態から図４（Ｂ）の状態に変化させて、各主体要素１１、１２および１３の外側の面１１ｏｓ、１２ｏｓおよび１３ｏｓによって外郭の約３／４を形成するようにするとよい。
【００３７】
一方、前述の玩具を第２形態（図２を参照）から第１形態（図１を参照）に変化させるときには、主体部１０の第２主体要素１２を図３（Ｂ）の状態から図３（Ａ）の状態に変化させ、かつ、第３主体要素１３を図４（Ｂ）の状態から図４（Ａ）の状態に変化させて、主体部１０を伸張させるとともに、各副体部２０、３０および４０の第２副体要素２２、３２および４２と第３副体要素２３、３３および４３を適宜回転させて第３副体要素２３、３３および４３の位置および向きを変化させ、各第３副体要素２３、３３および４３によって玩具の支持部を形成すればよい。
【００３８】
各副体部２０、３０および４０の第３副体要素２３、３３および４３の位置および向きを任意に３次元変位できるため、玩具の支持部を成す各第３副体要素２３、３３および４３の位置および向きを好みに応じて変化させることができる。また、各副体部２０、３０および４０の第２副体要素２２、３２および４２が他の副体要素よりも可撓性に富むため、当該第２副体要素２２、３２および４２の可撓性を利用して、各第３副体要素２３、３３および４３による玩具の支持を安定、かつ、良好に行うことができる。
【００３９】
ここで、図７を用いて、前述の玩具の各副体部２０、３０および４０に第４副体要素２４、３４および４４を追加する場合について説明する。第１の副体部２０に第４副体要素２４を追加する場合には、図７（Ａ）に示したように、第３副体要素２３に対して第４副体要素２４を変位可能に連結すればよい。この場合の連結構造例としては、第３副体要素２３の先端部の内側の面（符号省略）に円柱の凹部（符号省略）を設け、当該凹部に、第４副体要素２４の基端部に設けた円柱状の凸部（符号省略）に回転可能に、好ましくは着脱可能に嵌め込めるようにしたものが採用できる。また、第２の副体部３０および第３の副体部４０に第４副体要素３４および４４を追加する場合には、図７（Ｂ）に示したように、第３副体要素３３および４３に対して第４副体要素３４および４４を変位可能に連結すればよい。この場合の連結構造例としては、第３副体要素３３および４３の先端部の内側の面（符号省略）に円柱の凹部（符号省略）を設け、当該凹部に、第４副体要素３４および４４の基端部に設けた円柱状の凸部（符号省略）に回転可能に、好ましくは着脱可能に嵌め込めるようにしたものが採用できる。
【００４０】
すなわち、前掲のようにすれば、第１形態において第３副体要素２３、３３および４３に対して第４副体要素２４、３４および４４を広がった形態とすることができ、第２形態において第３副体要素２３、３３および４３に対して第４副体要素２４、３４および４４を狭まった形態とすることができる。この場合、第４副体要素２４、３４および４４の形状および長さを第３副体要素２３、３３および４３の形状および長さよりも大きくすると、とりわけ、第１形態（図１を参照）から第２形態（図２を参照）に変化させるときに第４副体要素２４、３４および４４が邪魔になる懸念があるため、好ましくは第４副体要素２４、３４および４４を第３副体要素２３、３３および４３の内側の面（符号省略）で覆えるような形状および長さとするとよい。
【００４１】
《補足事項》
図１〜図７を用いて説明した玩具は第２形態（図２を参照）が丸まった形態であるため、第２形態のまま、あるいは、第２形態の全体または一部をフィルム等で包装したものを、物品搬出装置の搬出対象とすること、例えば、硬貨等を投入して販売できる装置の商品とすることができる。
【００４２】
また、図１〜図７を用いて説明した玩具として、主体部１０が第１主体要素１１と第２主体要素１２と第３主体要素１３とを含むものを示したが、３者のうち最も小部品である第３主体要素１３を第１主体要素１１と一体化してもよい。この場合、第１主体要素１１に対する第３主体要素１３の向きを第１形態（図１を参照）と第２形態（図２を参照）の中間的な向きとすれば、第２形態を充分に丸まった形態とすることができる。
【００４３】
さらに、図１〜図７を用いて説明した玩具として、昆虫に属するコガネムシを模倣対象としたものを示したが、主体部および副体部の形状および大きさを変化させることにより、コガネムシ以外で丸まった形態となるような昆虫を模倣対象とすることも可能である。無論、昆虫以外の生物、例えば、ダンゴムシやムカデやヤスデ等の他、アルマジロやハリネズミやハムスター等の生物を模倣対象とすることも可能である。昆虫以外の生物を模倣対象とする場合には、模倣対象の肢数（脚数）に見合うように副体部の数を適宜増減すればよい。
【符号の説明】
【００４４】
１０…主体部、１１…第１主体要素、１１ｏｓ…外側の面、１１ｉｓ…内側の面、１２…第２主体要素、１２ｏｓ…外側の面、１２ｉｓ…内側の面、１２ｉａ…干渉回避部、１３…第３主体要素、１３ｏｓ…外側の面、２０…第１の副体部、２１…第１副体要素、２２…第２副体要素、２３…第３副体要素、２３ｏｓ…外側の面、２４…第４副体要素、
３０…第２の副体部、３１…第１副体要素、３２…第２副体要素、３３…第３副体要素、３３ｏｓ…外側の面、３４…第４副体要素、４０…第３の副体部、４１…第１副体要素、４２…第２副体要素、４３…第３副体要素、４３ｏｓ…外側の面、４４…第４副体要素、
５１…第１の連結要素、５２…第２の連結要素。
【図１】
2020151466.tif 000003
【図２】
2020151466.tif 000004
【図３】
2020151466.tif 000005
【図４】
2020151466.tif 000006
【図５】
2020151466.tif 000007
【図６】
2020151466.tif 000008
【図７】
2020151466.tif 000009